(57)【特許請求の範囲】
【請求項１】
蓄電装置であって、
電極組立体と、該電極組立体を収容するケースとを有し、
電極組立体は、
正極板と、
前記正極板の第１面を覆う第１カバーと前記正極板の前記第１面の反対側の第２面を覆
う第２カバーを備えるセパレータと、
前記セパレータに対向する負極板とを有し、
前記正極板は、
集電タブが設けられたタブ辺と、前記タブ辺と対向するタブ対向辺とを有し、
前記第１カバーは、
前記正極板の前記第１面に対向する第１本体と、
前記正極板の前記タブ対向辺を越えて延長する第１延長部と、前記第１延長部からさらに延長された第１重ね部と、を有し、
前記第２カバーは、
前記正極板の前記第２面に対向する第２本体と、
前記正極板の前記タブ対向辺を越えて延長する第２延長部と、前記第２延長部からさらに延長された第２重ね部と、を有し、
前記第１延長部と前記第２延長部は、重ねられており、
前記第１重ね部は、１回あるいは２回以上、前記第２延長部から離れる方向に折り返されて前記正極板にかからないように重ねられており、
前記第２重ね部は、１回あるいは２回以上、前記第１延長部から離れる方向に折り返されて前記正極板にかからないように重ねられており、
前記第１延長部と折り返されて重ねられた前記第１重ね部、及び、前記第２延長部と折り返されて重ねられた前記第２重ね部にて脚部が形成されており、
前記脚部は、
前記タブ対向辺の全体に沿って連続して形成されている蓄電装置。
【請求項２】
請求項１に記載の蓄電装置であって、
前記脚部は、前記脚部の厚み中心線と前記正極板の厚み中心線が同一直線上に位置するように構成された蓄電装置。
【請求項３】
請求項１または２に記載の蓄電装置であって、
前記脚部は、
前記第１延長部と、折り返されて重ねられた前記第１重ね部と、前記第２延長部と、折り返されて重ねられた前記第２重ね部と、のそれぞれを層とした場合に、６層以上であり、
前記脚部の厚みは、前記正極板の厚みと前記第１本体の厚みと前記第２本体の厚みを加えた厚み以下である蓄電装置。
【請求項４】
請求項１〜３のいずれか１つに記載の蓄電装置であって、
前記脚部の厚みは、前記正極板の厚みと前記第１本体の厚みと前記第２本体の厚みを加えた厚みに相当する蓄電装置。
【発明の詳細な説明】
【技術分野】
【０００１】
本発明は、２次電池等の蓄電装置に関する。
【背景技術】
【０００２】
特許文献１には、電極組立体を有する蓄電装置である２次電池が開示されている。電極組立体は、薄膜状のセパレータを挟んで交互に積層された複数の正極板と複数の負極板を有する。正極板は、袋状のセパレータに収容されて、負極板と交互に積層される。電極組立体の製造方法は、例えばセパレータに収容された正極板と、負極板とを起立姿勢にて順次落とし、正極板と負極板を前後に重ねる。図１０に示すようにセパレータ７０２は、正極板８００を収容し、脚部７１０を有する。脚部７１０は、正極板８００から下方へ延びる２つの延長部分を互いに溶着することで形成される。製造時に正極板８００を落とす際に脚部７１０が接地し、正極板８００とセパレータ７０２の重みを支える。
【先行技術文献】
【特許文献】
【０００３】
【特許文献１】特開２００７−２７０２７号公報
【発明の概要】
【発明が解決しようとする課題】
【０００４】
したがって強い脚部を有するセパレータを具備する電極組立体が従来必要とされている。
【課題を解決するための手段】
【０００５】
本発明の１つの特徴によると蓄電装置は、電極組立体と、該電極組立体を収容するケースとを有する。電極組立体は、正極板とセパレータとセパレータに対向する負極板とを有する。セパレータは、正極板の第１面を覆う第１カバーと正極板の第１面の反対側の第２面を覆う第２カバーを備える。第１カバーは、正極板の第１端を越えて延長する第１延長部を有する。第２カバーは、第２延長部と重ね部を有する。第２延長部は、正極板の第１端を越えて延長して第１延長部に重ねられる。重ね部は、第１延長部または第２延長部に重ねられるように第２延長部から延出する。セパレータは、脚部を有する。脚部は、少なくとも第１延長部と第２延長部と重ね部を有しかつ負極板の先端縁と対応する位置に配置される。
【０００６】
したがって脚部は、少なくとも３層構造になっている。そのため脚部は、正極板が起立姿勢にある際に、正極板の重さを支持できるように強化されている。正極板と負極板は、起立姿勢で落とし込まれて前後に積層される場合がある。この場合、脚部は、上述のように強度が強化されていることで、正極板を折れ曲がらずに支持できる。そのため正極板と負極板は、積層される際に位置ずれせず、所定の位置にて積層され得る。
【０００７】
他の側面によると脚部は、第１重ね部と第２カバーの重ね部を有する。第１重ね部は、第１延長部から延出しかつ第１延長部に対して第２延長部の反対側に重ねられる。第２カバーの重ね部は、第２延長部から延出しかつ第２延長部に対して第１延長部の反対側に重ねられる。
【０００８】
したがって脚部は、少なくとも４層構造になっている。そのため脚部は、設置される面積が大きい。したがって正極板と負極板が起立姿勢で落とし込まれる場合、脚部が正極板を起立状態に支持できる。これにより正極板と負極板は、積層の際に位置がずれ難く、所定の位置に位置合わせされ得る。脚部は、厚みの中心から両方向に厚く、両方向に強化されている。したがって正極板の厚みの中心線が、脚部の厚みの中心線に近い位置にある場合には、正極板に対する脚部の支持バランスが向上する。これにより正極板がより一層安定して支持される。
【０００９】
他の側面によると脚部は、脚部の厚み中心線と正極板の厚み中心線とが同一直線上に位置するように構成される。したがって正極板と負極板とが起立姿勢で落とし込まれて前後に積層される場合、脚部は、バランス良く正極板を支持できる。これにより正極板と負極板は、積層される際に位置がずれ難く、所定の位置に位置合わせされ得る。
【００１０】
他の側面によると第１カバーは、正極板の第１面に対向する第１本体を有する。第２カバーは、正極板の第２面に対向する第２本体を有する。脚部の厚みは、正極板の厚みと第１本体の厚みと第２本体の厚みとを加えた厚みに相当する。したがって脚部の厚みは、正極板の前後に配置される負極板との干渉を避けた上で最大限に確保される。これにより脚部は、正極板を支える面積が大きい。そのため正極板と負極板とが起立姿勢で落とし込まれて前後に積層される場合、脚部は、正極板を安定して支持できる。これにより正極板と負極板は、積層される際に位置がずれ難く、所定の位置に位置合わせされ得る。
【００１１】
他の側面によると脚部は、複数の第１層と複数の第２層を有する。複数の第１層は、第１カバーを折り返して形成されかつ少なくとも第１延長部を含む。複数の第２層は、第２カバーを折り返して形成されかつ少なくとも第２延長部と第２カバーの重ね部とを含む。したがって脚部は、少なくとも４層構造になっている。これにより脚部は、強度が強化されるとともに正極板を支える面積が増える。したがって正極と負極板とが起立姿勢で落とし込まれて前後に積層される場合、脚部は、正極板を安定して支持できる。これにより正極板と負極板は、積層される際に位置がずれ難く、所定の位置に位置合わせされ得る。
【図面の簡単な説明】
【００１２】
【図１】一部破断した蓄電装置の斜視図である。
【図２】正極ユニットと負極板の斜視図である。
【図３】正極ユニットの分解斜視図である。
【図４】正極ユニットと負極板の先端部分近傍の断面図である。
【図５】正極ユニットを起立姿勢にて落とし込む様子を表した正面図である。
【図６】セパレータの脚部の溶着方法を説明する断面図である。
【図７】他の実施形態に係る正極ユニットと負極板の先端部分近傍の断面図である。
【図８】他の実施形態に係る正極ユニットと負極板の先端部分近傍の断面図である。
【図９】他の実施形態に係る正極ユニットと負極板の先端部分近傍の断面図である。
【図１０】従来技術におけるセパレータの脚部近傍の断面図である。
【発明を実施するための形態】
【００１３】
図１〜６を用いて本発明の１つの実施形態を説明する。図１に示す蓄電装置１０は、例えばリチウムイオン２次電池である。蓄電装置１０は、ケース１２とケース１２の内部に収容される電極組立体１６と電解液（図示省略）を有する。ケース１２には、ケース１２を貫通する外部接続端子１４が設けられている。蓄電装置１０は、放電時に外部接続端子１４を通じて外部に電力を供給し、充電時に外部接続端子１４を通じて外部から電力が供給される。
【００１４】
電極組立体１６は、図１に示すように交互に積層された複数の正極ユニット３０と複数の負極板２０を有する。図２,３に示すように正極ユニット３０は、正極板４０と、正極板４０を袋状に覆うセパレータ５０を有する。
【００１５】
正極板４０は、図３に示すように基材４２と正極活物質層４４を有する。基材４２は、アルミニウム箔等の金属箔である。正極活物質層４４は、基材４２の両面に塗布されて形成される。正極活物質は、例えばリチウム含有金属酸化物から形成される。負極板２０は、図２に示すように基材２２と負極活物質層２４を有する。基材２２は、銅箔などの金属箔である。負極活物質層２４は、基材２２の両面に塗布されて形成される。正極板４０と負極板２０は、例えば約１００μｍであって薄い。正極板４０と負極板２０は、概ね矩形状である。負極板２０は、正極板４０よりも大きく、正極ユニット３０と略同じ大きさである。
【００１６】
正極板４０と負極板２０は、図１,２に示すように集電タブＴ１，Ｔ２を有する。集電タブＴ１，Ｔ２は、正極板４０と負極板２０の一辺から延出し、外部接続端子１４に接続される。集電タブＴ１は、セパレータ５０から外方に露出している。集電タブＴ１，Ｔ２には、活物質層は形成されていない。
【００１７】
正極板４０は、図３に示すように２つ折りにされたセパレータ５０の間に設置される。正極板４０は、集電タブＴ１が設けられたタブ辺４０ｂを有する。集電タブＴ１は、セパレータ５０の開口穴５０ａに挿入される。セパレータ５０は、正極板４０の第１面を覆う第１カバー６０と、第１面と反対側の第２面を覆う第２カバー７０を有する。第１カバー６０と第２カバー７０は、正極板４０より大きい。第１カバー６０と第２カバー７０は、タブ辺４０ｂを除いた正極板４０の３辺の周縁において互いに溶着される。これにより正極板４０がセパレータ５０に袋状に収容される。
【００１８】
セパレータ５０は、図２，４に示すように脚部８０を有する。脚部８０は、タブ辺４０ｂと対向するタブ対向辺４０ａに沿って連続している。正極ユニット３０が起立姿勢に配置された際、タブ辺４０ｂが上方に位置し、脚部８０が下方に位置する。脚部８０は、起立姿勢において正極板４０を支えるために補強されている。
【００１９】
第１カバー６０は、図４に示すように第１延長部６２と第１折曲部６４と第１重ね部６６を有する。第１延長部６２は、タブ対向辺４０ａを越えて下方に延出する。第１延長部６２から第１折曲部６４が延出し、第１延長部６２から第１重ね部６６が延出する。第２カバー７０は、第２延長部７２と第２折曲部７４と第２重ね部（重ね部）７６を有する。第２延長部７２は、タブ対向辺４０ａを越えて下方に延出する。第２延長部７２から第２折曲部７４が延出し、第２折曲部７４から第２重ね部７６が延出する。
【００２０】
図４に示すように第１延長部６２は、第１基端側延長部６２ａと第１先端側延長部６２ｂを有する。第２延長部７２は、第２基端側延長部７２ａと第２先端側延長部７２ｂを有する。第１基端側延長部６２ａと第２基端側延長部７２ａは、下方へ向かうにしたがって互いに接近する。第１先端側延長部６２ｂと第２先端側延長部７２ｂは、相互に接触しつつ第１基端側延長部６２ａと第２基端側延長部７２ａから連続して延出する。第１折曲部６４と第２折曲部７４は、相互に接触しつつ第１延長部６２と第２延長部７２から幅方向、例えば図４の右方向に延出する。第１重ね部６６と第２重ね部７６は、相互に接触しつつ第１折曲部６４と第２折曲部７４から第２先端側延長部７２ｂに沿って上方に延出する。
【００２１】
上述するように脚部８０は、セパレータ５０の一部を折り返すことで形成される。脚部８０は、図４に示すように左側から順番に第１先端側延長部６２ｂ、第２先端側延長部７２ｂ、第２重ね部７６、第１重ね部６６が重ねられる。脚部８０の厚みＨの中心である脚中心線Ｌは、正極板４０の厚みＺの中心である正極板中心線Ｃと同一直線上に位置している。
【００２２】
図４に示すように負極板２０は、タブの反対側に先端縁２０ａを有する。脚部８０の先端縁８６は、第１折曲部７４の外周縁によって構成される。先端縁８６と先端縁２０ａは、製造時および製品時において対応するように位置する。
【００２３】
図１に示す電極組立体１６を製造する場合は、図５に示すように積層装置１を利用して正極ユニット３０と負極板２０（図示省略）を積層する。積層装置１は、傾斜面１ａと起立面１ｂと底面１ｃを有する。傾斜面１ａは、下方ほど幅が狭くなるように起立面１ｂに対して傾斜している。起立面１ｂは、底面１ｃに対して略垂直に起立している。
【００２４】
傾斜面１ａと起立面１ｂは、図５に示すように正極ユニット３０と負極板２０を落とす際に幅方向に位置合わせする。底面１ｃは、傾斜面１ａと起立面１ｂの下辺を位置合わせする。正極ユニット３０と負極板２０は、交互に積層装置１に落とされる。これにより正極ユニット３０と負極板２０は、前後に積層される。
【００２５】
図６に示すように脚部８０は、例えば加熱されたヒータブロックＨＢが両面から押し付けて溶着される。これにより隣り合う先端側延長部６２ｂ，７２ｂ同士、隣り合う重ね部６６，７６同士、もしくは隣り合う先端側延長部７２ｂと重ね部７６が互いに溶着される。
【００２６】
図４に示すように脚部８０は、２つの第１層８２と２つの第２層８４を有する４層構造となっている。第１層８２は、第１カバー６０を折り返して形成される第１先端側延長部６２ｂと第１重ね部６６である。第２層８４は、第２先端側延長部７２ｂと第２重ね部７６である。４層構造とされた脚部８０は、図１０の脚部７１０よりも強度が強い。そのため脚部８０は、起立姿勢の正極板４０の重さを支持できる。
【００２７】
強度が強化されることで、脚部８０は、正極ユニット３０を起立姿勢で落とし込む際に正極ユニット３０の下端部が折れ曲がることを防止する。そのため脚部８０の先端縁８６は、負極板２０の先端縁２０ａと対応する位置に配置される（図４）。これにより正極板４０と負極板２０が相互に位置がずれることが防止される。
【００２８】
図４に示すように脚部８０の厚みＨ（層方向の厚み）は図１０の脚部７１０よりも太い。したがって脚部８０は、正極板４０を支える面積が大きい。そのため脚部８０によって正極ユニット３０が安定して起立できる。その結果、正極板４０と負極板２０は、積層する際に正確に位置合わせされやすい。
【００２９】
図４に示すように脚中心線Ｌは正極板中心線Ｃと同一直線上に位置する。そのため正極板４０の厚みＺの中心を脚部８０の厚みＨの中心によって支えることができる。したがって正極ユニット３０と負極板２０を落とし込む際、脚部８０は、正極板４０を安定して支持する。その結果、正極板４０と負極板２０は、積層される際に位置合わせされ得る。
【００３０】
正極ユニット３０は、図４に示す脚部８０に代えて図７に示す脚部１８０を有していても良い。なお、図７において図４と同一もしくは均等な構成・機能を有する箇所には同一の符号を付すことで、重複した説明を省略する。
【００３１】
図７に示すように第１カバー６０は、第１延長部６２と第１折曲部１６４と第１重ね部１６６を有する。第１延長部６２から第１折曲部１６４が延出し、第１折曲部１６４から第１重ね部１６６が延出する。第２カバー７０は、第２延長部７２と第２折曲部１７４と第２重ね部（重ね部）１７６を有する。第２延長部７２から第２折曲部１７４が延出し、第２折曲部１７４から第２重ね部１７６が延出する。
【００３２】
図７に示すように第１折曲部１６４は、第１先端側延長部６２ｂから図７の左方向に延出する。第１重ね部１６６は、第１折曲部１６４から第１先端側延長部６２ｂに沿って上方に延出する。第２折曲部１７４は、第２先端側延長部７２ｂから図７の右方向に延出する。第２重ね部１７６は、第２折曲部１７４から第２先端側延長部７２ｂに沿って上方に延出する。
【００３３】
上述するように脚部１８０は、セパレータ５０の一部を折り返すことで形成される。脚部１８０は、図７に示すように左側から順番に第１重ね部１６６、第１先端側延長部６２ｂ、第２先端側延長部７２ｂ、第２重ね部１７６が重ねられる。脚中心線Ｌは、正極板中心線Ｃと一致している。
【００３４】
図７に示すように脚部１８０の先端縁１８６は両折曲部１６４,１７４の外縁によって構成される。先端縁１８６は、先端縁２０ａと、製造時および製品時において対応するように位置する。
【００３５】
図７に示すように脚部１８０は、２つの第１層１８２と２つの第２層１８４を有する４層構造となっている。第１層１８２は、第１カバー６０を折り返して形成される第１先端側延長部６２ｂと第１重ね部１６６である。第２層１８４は、第２カバー７０を折り返して形成される第２先端側延長部７２ｂと第２重ね部１７６である。４層構造とされた脚部１８０は、図１０の脚部７１０よりも強度が強い。そのため脚部１８０は、起立姿勢の正極板４０の重さを支持できる。
【００３６】
強度が強化されることで、脚部１８０は、正極ユニット３０を起立姿勢で落とし込む際に正極ユニット３０の下端部が折れ曲がることを防止する。そのため脚部１８０の先端縁１８６は、負極板２０の先端縁２０ａと対応する位置に配置される（図７）。これにより正極板４０と負極板２０が相互に位置がずれることが防止される。
【００３７】
図７に示すように脚部１８０の厚みＨ（層方向の厚み）は図１０の脚部７１０よりも太い。したがって脚部１８０は、正極板４０を支える面積が大きい。そのため脚部１８０によって正極ユニット３０が安定して起立できる。その結果、正極板４０と負極板２０は、積層する際に正確に位置合わせされやすい。
【００３８】
図７に示すように脚中心線Ｌは正極板中心線Ｃと同一直線上に位置する。そのため正極板４０の厚みＺの中心を脚部１８０の厚みＨの中心によって支えることができる。その上で脚部１８０は、脚中心線Ｌを挟んで対称の厚みを有する。そのため脚部１８０は、正極板４０に対する支持バランスが向上する。したがって正極ユニット３０と負極板２０を落とし込む際、脚部１８０は、正極板４０を安定して支持できる。その結果、正極板４０と負極板２０は、積層される際に位置合わせされ得る。
【００３９】
正極ユニット３０は、図７に示す脚部１８０に代えて図８に示す脚部２８０を有していても良い。なお、図８において図７と同一もしくは均等な構成・機能を有する箇所には同一の符号を付すことで、重複した説明を省略する。
【００４０】
図８に示すように第１カバー６０は、第１延長部６２と第１折曲部１６４と第１重ね部１６６と第１再折曲部１６８と第１外側重ね部１６９を有する。第１重ね部１６６から
第１再折曲部１６８が延出し、第１再折曲部１６８から第１外側重ね部１６９が延出する。第２カバー７０は、第２延長部７２と第２折曲部１７４と第２重ね部（重ね部）１７６と第２再折曲部１７８と第２外側重ね部１７９を有する。第２重ね部１７６から第２再折曲部１７８が延出し、第２再折曲部１７８から第２外側重ね部１７９が延出する。
【００４１】
図８に示すように第１再折曲部１６８は、第１重ね部１６６から図８の左方向に延出する。第１外側重ね部１６９は、第１再折曲部１６８から第１重ね部１６６に沿って下方に延出する。第２再折曲部１７８は、第２重ね部１７６から図８の右方向に延出する。第２外側重ね部１７９は、第２再折曲部１７８から第２重ね部１７６に沿って下方に延出する。
【００４２】
上述するように脚部２８０は、セパレータ５０の一部を折り返すことで形成される。脚部２８０は、図８に示すように左側から順番に第１外側重ね部１６９、第１重ね部１６６、第１先端側延長部６２ｂ、第２先端側延長部７２ｂ、第２重ね部１７６、第２外側重ね部１７９が重ねられる。脚中心線Ｌは、正極板中心線Ｃと一致している。脚部２８０の厚み（層方向の厚み）Ｈは、第１カバー６０の本体である第１本体６１の厚みＡと、第２カバー７０の本体である第２本体７１の厚みＢと、正極板の厚みＺと、を加えた厚みに相当する。つまり、脚部２８０の厚みＨは、正極ユニット３０の前後に配置される負極板２０との干渉を避けた上で最大限に確保される。
【００４３】
図８に示すように脚部２８０の先端縁２８６は、両折曲部１６４,１７４の外縁と両外側折曲部１６９,１７９の先端で構成される。先端縁２８６は、先端縁２０ａと、製造時および製品時において対応するように位置する。
【００４４】
図８に示すように脚部２８０は、３つの第１層２８２と３つの第２層２８４を有する６層構造となっている。第１層２８２は、第１カバー６０を折り返して形成される第１先端側延長部６２ｂと第１重ね部１６６と第１外側重ね部１６９である。第２層２８４は、第２カバー７０を折り返して形成される第２先端側延長部７２ｂと第２重ね部１７６と第２外側重ね部１７９である。６層構造とされた脚部２８０は、図１０の脚部７１０よりも強度が強い。そのため脚部２８０は、起立姿勢の正極板４０の重さを支持できる。
【００４５】
強度が強化されることで、脚部２８０は、正極ユニット３０を起立姿勢で落とし込む際に正極ユニット３０の下端部が折れ曲がることを防止する。そのため脚部２８０の先端縁２８６は、負極板２０の先端縁２０ａと対応する位置に配置される（図８）。これにより正極板４０と負極板２０が相互に位置がずれることが防止される。
【００４６】
図８に示すように脚部２８０の厚みＨは図１０の脚部７１０よりも太い。したがって脚部２８０は、正極板４０を支える面積が大きい。さらに、既に述べたように、脚部２８０の厚みＨは正極ユニット３０の前後に配置される負極板２０との干渉を避けた上で最大限に確保されている。したがって正極板４０を支える面積も最大限に大きい。そのため脚部２８０によって正極ユニット３０が安定して起立できる。その結果、正極板４０と負極板２０は、積層する際に正確に位置合わせされやすい。
【００４７】
図８に示すように脚中心線Ｌは正極板中心線Ｃと同一直線上に位置する。そのため正極板４０の厚みＺの中心を脚部２８０の厚みＨの中心によって支えることができる。その上で脚部２８０は、脚中心線Ｌを挟んで対称の厚みを有する。そのため脚部２８０は、正極板４０に対する支持バランスが向上する。したがって正極ユニット３０と負極板２０を落とし込む際、脚部２８０は、正極板４０を安定して支持する。その結果、正極板４０と負極板２０は、積層される際に位置合わせされ得る。
【００４８】
なお、脚部２８０において、第１カバー６０及び第２カバー７０の折り返し数をさらに増やして、脚部２８０の層構造を６層よりも増加させてもよい。ただし、脚部２８０の厚みＨは、正極板４０と両カバー６０,７０の本体６１,７１とを全て加えた厚み以下である。
【００４９】
正極ユニット３０は、図４に示す脚部８０に代えて図９に示す脚部３８０を有していても良い。なお、図９において図４と同一もしくは均等な構成・機能を有する箇所には同一の符号を付すことで、重複した説明を省略する。
【００５０】
第１カバー６０は、図９に示すように、第１延長部６２と第１折曲部３６４と第１外側重ね部３６６と第１再折曲部３６８と第１重ね部３６９を有する。第１延長部６２から第１折曲部３６４が延出し、第１折曲部３６４から第１外側重ね部３６６が延出し、第１外側重ね部３６６から第１再折曲部３６８が延出し、第１再折曲部３６８から第１重ね部３６９が延出する。第２カバー７０は、第２延長部７２と第２折曲部３７４と第２外側重ね部３７６と第２再折曲部３７８と第２重ね部（重ね部）３７９を有する。第２延長部７２から第２折曲部３７４が延出し、第２折曲部３７４から第２外側重ね部３７６が延出し、第２外側重ね部３７６から第２再折曲部３７８が延出し、第２再折曲部３７８から第２重ね部３７９が延出する。
【００５１】
脚部３８０は、図９において反時計回りの巻回構造をしている。つまり、第１折曲部３６４と第２折曲部３７４は、相互に接触しつつ第１先端側延長部６２ｂと第２先端側延長部７２ｂから図９の右方向に延出する。第１外側重ね部３６６と第２外側重ね部３７６は、相互に接触しつつ第１折曲部３６４と第２折曲部３７４から上方に延出する。第１再折曲部３６８と第２再折曲部３７８は、相互に接触しつつ第１外側重ね部３６６と第２外側重ね部３７６から図９の左方向に延出する。第１重ね部３６９と第２重ね部３７９は、相互に接触しつつ第１再折曲部３６８と第２再折曲部３７８から第２先端側延長部７２ｂと第２外側重ね部３７６に沿って下方へ延出する。
【００５２】
脚部３８０は、図９に示すように左側から順番に第１先端側延長部６２ｂ、第２先端側延長部７２ｂ、第１重ね部３６９、第２重ね部３７９、第２外側重ね部３７６、第１外側重ね部３６６が重ねられる。脚中心線Ｌは、正極板中心線Ｃと一致している。脚部３８０の厚み（層方向の厚み）Ｈは、第１カバー６０の第１本体６１の厚みＡと、第２カバー７０の第２本体７１の厚みＢと、正極板の厚みＺと、を加えた厚みに相当する。つまり、脚部２８０の厚みＨは、正極ユニット３０の前後に配置される負極板２０との干渉を避けた上で最大限に確保される。
【００５３】
図９に示すように、脚部３８０の先端縁３８６は第１折曲部３６４の外縁によって構成される。先端縁３８６は、負極板２０の先端縁２０ａと製造時および製品時において対応するように位置する。
【００５４】
図９に示すように脚部３８０は、３つの第１層３８２と３つの第２層３８４を有する６層構造となっている。第１層３８２は、第１カバー６０を折り返して形成される第１先端側延長部６２ｂと第１重ね部３６９と第１外側重ね部３６６である。第２層３８４は、第２カバー７０を折り返して形成される第２先端側延長部７２ｂと第２重ね部３７９と第２外側重ね部３７６である。６層構造とされた脚部３８０は、図１０の脚部７１０よりも強度が強い。そのため脚部３８０は、起立姿勢の正極板４０の重さを支持できる。
【００５５】
強度が強化されることで、脚部３８０は、正極ユニット３０を起立姿勢で落とし込む際に正極ユニット３０の下端部が折れ曲がることを防止する。そのため脚部３８０の先端縁３８６は、負極板２０の先端縁２０ａと対応する位置に配置される（図９）。これにより正極板４０と負極板２０が相互に位置がずれることが防止される。
【００５６】
図９に示すように脚部３８０の厚みＨは図１０の脚部７１０よりも太い。したがって脚部３８０は、正極板４０を支える面積が大きい。さらに、既に述べたように、脚部３８０の厚みＨは正極ユニット３０の前後に配置される負極板２０との干渉を避けた上で最大限に確保されている。したがって正極板４０を支える面積も最大限に大きい。そのため脚部３８０によって正極ユニット３０が安定して起立できる。その結果、正極板４０と負極板２０は、積層する際に正確に位置合わせされやすい。
【００５７】
図９に示すように脚中心線Ｌは正極板中心線Ｃと同一直線上に位置する。そのため正極板４０の厚みＺの中心を脚部２８０の厚みＨの中心によって支えることができる。したがって正極ユニット３０と負極板２０を落とし込む際、脚部３８０は、正極板４０を安定して支持する。その結果、正極板４０と負極板２０は、積層される際に位置合わせされ得る。
【００５８】
なお、脚部３８０において、第１カバー６０及び第２カバー７０の巻回数を増やして、脚部３８０の層数を６層よりも増加させてもよい。ただし、脚部３８０の厚みＨは、正極板４０と両カバー６０,７０の本体６１,７１とを全て加えた厚み以下である。
【符号の説明】
【００５９】
１０   蓄電装置
１６   電極組立体
２０   負極板
２０ａ 先端縁
３０   正極ユニット
４０   正極板
５０   セパレータ
６０   第１カバー
６１   第１本体
６２   第１延長部
６６,１６６,３６６   第１重ね部
７０   第２カバー
７１   第２本体
７２   第２延長部
７６,１７６,３７６   第２重ね部（重ね部）
８０,１８０,２８０,３８０   脚部
８２,１８２,２８２,３８２   第１層
８４,１８４,２８４,３８４   第２層
８６,１８６,２８６,３８６   先端縁
Ｃ     正極板中心線
Ｌ     脚中心線
【図１】
0006503762.tif 000002
【図２】
0006503762.tif 000003
【図３】
0006503762.tif 000004
【図４】
0006503762.tif 000005
【図５】
0006503762.tif 000006
【図６】
0006503762.tif 000007
【図７】
0006503762.tif 000008
【図８】
0006503762.tif 000009
【図９】
0006503762.tif 000010
【図１０】
0006503762.tif 000011